(57)【特許請求の範囲】
【請求項１】
枚葉印刷紙の表面にフィルムを貼り合せかつ紙とフィルムにテンションを加えてフィルムを切断する高速カッター方法であって、前記方法に使用される高速カッター装置が２個の紙送りロール１、２とミシン目を入れる回転刃５と、貼り合わされたフィルム間でミシン目を入れかつ紙押コロ３を通過して紙の重なり部分Ｇが紙送りロール２を通過すると紙押コロ３が下がるカム１０と、該カム１０と紙送りロール１、２を介して上下移動する一つの枠内に数組配置されている紙押コロ３と、前記カム１０の始動時の回転位置と紙の重なり位置との位相を制御するために取り付けられている紙の重なりを検出するセンサー６と、単独モーターで駆動させかつ給紙機の給紙枚数と同期に回転するカム軸１３とから構成されており、前記紙Ｐとフィルムｔとの貼り合せが前の紙Ｐの後部下側に先端部が入り込むように紙の重なり寸法Ｇだけ重ねて流して紙Ｐとフィルムｔとを貼り合せ、更にフィルムｔの幅を常に紙幅より狭くしてフィルムｔの端から１０ｍｍ以内のところにミシン目を入れてカム１０と紙押コロ３との枠を紙の流れ方向に対して傾斜させ、かつミシン目のある側から順次紙押コロ３を下げて紙Ｐとフィルムｔとに張力を加え、フィルムｔの一番弱い紙の重なり寸法Ｇの後端部から切断することを特徴とする枚葉プリントラミネーターの高速カッター装置。
【発明の詳細な説明】
【０００１】
【発明の属する技術分野】
本発明は枚葉ラミネーターに関するが、詳しくはその高速カッター方法とカッター装置に関するものである。
【０００２】
【従来の技術】
従来の枚葉式ラミネーターの高速フィルムカッター装置としては、例えば本願出願人が開発し開示されている特公平２−２０３９５号の（特開昭６３−１１２９８号）のような高速フィルムカッター機構がある。この従来機構は、枚葉紙にフィルムをラミネートし枚葉紙の紙面は切断せずフィルムのみ切断する枚葉式ラミネーター装置において、駆動モータから一方のタイミングベルトを介してクラッチブレーキに入力しフィルム切断用の切断刃が取り付けられているチェーンを回転させ、前記駆動モータの他方のタイミングベルトを介して前記切断刃が一回転するとシンクロ制御変圧器が一回転する信号を出すように減速機を設け、この減速機により前記シンクロ制御変圧器を駆動させてなる切断刃付チェーンの駆動機構と給紙機の回転軸にシンクロ発信器を設け、該回転軸が１回転すると枚葉紙を１枚給紙すると共にその信号をシンクロ発信器から出してなる給紙機構と、前記切断刃を停止信号センサーを介してフィルムの切断位置に停止させ装置本体の始動時における低速回転時にラミネートされた枚葉紙を前記クラッチブレーキをオンしてチェーンを回転させて、前記フィルムのみ切断する切断刃付チェーンのクラッチブレーキ機構とから成ることを特徴とする枚葉式ラミネーター装置における高速フィルムカッター機構であり、またシンクロ発信器の信号とシンクロ制御変圧器の信号とを比較し給紙機の回転と切断刃の回転との位相が常に同じになるように制御し、更にシンクロ差動発信器を介して位相を変えて給紙機の回転と切断刃の回転との位相差が保持できるように駆動モータを制御した高速フィルムカッター機構であり、更にフィルム切断用の切断刃を少なくとも１個以上取り付けたチェーンを収納した刃物枠を有し、該刃物枠の一端部を基板に軸支すると共に他端部を左右に移動できるようにし、更に紙送りベルトのベルトコロの一部が刃物枠と共に移動できるようにした高速フィルムカッター機構である。
【０００３】
具体的には図４に示すように、フィルムｔに接着剤を塗布する塗装部（ａ）、枚葉紙ｐを給紙する給紙部（ｂ）、枚葉紙ｐにフィルムｔをラミネートする熱ロール部（ｃ）、ラミネートされた貼合物Ｗのフィルムｔのみを切断するカッター部ｄ及びフィルムｔをカットした後に枚葉紙Ｐを積載するスタック部（ｅ）から構成されている。すなわち、この枚葉式ラミネーター装置は、▲１▼塗装部（ａ）にてフィルムｔに接着剤と塗布した後にドライヤー（図示せず）で乾燥させて、水・アルコール、シンナー等の溶剤を取り除き、▲２▼熱ロール部（ｃ）で給紙部（ｂ）から送られてきた枚葉紙ｐに乾燥後のフィルムｔをラミネートし、▲３▼このフィルムｔと枚葉紙ｐとから成る貼合物Ｗをカッター部（ｄ）に移送して枚葉紙ｐは切らずにフィルムｔのみを切断し、▲４▼カッター部（ｄ）により切断された枚葉紙ｐをスタック部（ｅ）に移送積載する機構である。
【０００４】
このように構成することにより、その作用効果としては１枚のフィルム切断用の切断刃を取り付けたチェーンの回転軸にクラッチブレーキと減速機を取り付け、更にシンクロ制御変圧器を介して給紙機の回転軸と連動制御させて、チェーンに取り付けた切断刃が１回転すると給紙機の回転軸も枚葉紙１枚を給紙すると１回転するようにしたところにある。つまり、シンクロ発信器の信号とシンクロ制御変圧器の信号を比較して常に位相が同じとなるように駆動モータを制御し、更にシンクロ発信器とシンクロ制御変圧器との間にシンクロ差動発信器を入れ位相を比較し給紙機の回転と切断刃の回転との位相差を保持できるように駆動モータを制御したものである。
【０００５】
更に、図５から図７に示すようなサイドカット後に引き離しロールにてカットする方法がある。このカット方法には、フィルム幅方向全部に刃を走らせる装置と、フィルムの端を少し切断又はミシン目を入れて２組のロール間で速度差を与え更に紙とフィルムに張力を与えてフィルムを切断する２つの方法があり、本発明は後者に関するものである。図５に示す方法は、紙の流れ方向左側にミシン目又は切込みを入れてロールＳ１・Ｓ２とロールＲ１・Ｒ２の間で紙に張力を与えてフィルムを切断する方法であり、ロールＲ１・Ｒ２は紙の流れ方向に前後できる。また、ロールＳ１・Ｓ２とＲ１・Ｒ２間の長さは紙の流れ寸法より少し長くとり、ロールＳ１・Ｓ２とロールＲ１・Ｒ２は平行で上部コロをθ傾けている。また、紙の先端はほぼ同時にコロに到達するため紙全体に張力が掛かり非常に大きな力が必要になる。その結果として、切り口のフィルムが伸びたり紙とフィルムが剥がれたりする。また、Ｓ１・Ｒ１＞Ｓ２・Ｒ２になるようにロールＲ１・Ｒ２をθ傾けた状態が図７であるが、紙の先端はＲ２側がコロに先に到達するため前述と同様な結果となる。更に、Ｓ１・Ｒ１＜Ｓ２・Ｒ２になるようロールＲ１・Ｒ２をθだけ逆に傾けて配置した場合は、紙の先端はＲ１側に早く到達するがコロによる張力は方向が剪断方向と異なるため、やはり大きな張力が必要となって前述と同じような結果となる。なお、図８は従来のサーマルプリントラミネーターを示し、図９はミシン目用回転刃を示したものである。
【０００６】
【発明が解決しようとする課題】
かかる従来の枚葉プリント・ラミネーターの高速カッター方法とその装置を改良するところに本発明が解決しようとする課題を有する。すなわち、本発明の解決しようとする課題は、幅方向を全面カットする装置において切り口の伸びや剥がれの問題は生じないが制作費が高いことと速度に限界があり、また端に切り込み又はミシン目を入れる装置は前述のような欠点があるので、フィルムの端にミシン目を入れて弱い力で切断できれば従来の欠点を補い更に高速化が可能となる。本発明は、この課題を解決するための改良発明である。
【０００７】
【課題を解決するための手段】
本発明は上記の如き問題を解決するために改良したものであって、枚葉印刷紙の表面にフィルムを貼り合せかつ紙とフィルムにテンションを加えてフィルムを切断する高速カッター方法であって、前記方法に使用される高速カッター装置が２個の紙送りロール１、２とミシン目を入れる回転刃５と、貼り合わされたフィルム間でミシン目を入れかつ紙押コロ３を通過して紙の重なり部分Ｇが紙送りロール２を通過すると紙押コロ３が下がるカム１０と、該カム１０と紙送りロール１、２を介して上下移動する一つの枠内に数組配置されている紙押コロ３と、前記カム１０の始動時の回転位置と紙の重なり位置との位相を制御するために取り付けられている紙の重なりを検出するセンサー６と、単独モーターで駆動させかつ給紙機の給紙枚数と同期に回転するカム軸１３とから構成されており、前記紙Ｐとフィルムｔとの貼り合せが前の紙Ｐの後部下側に先端部が入り込むように紙の重なり寸法Ｇだけ重ねて流して紙Ｐとフィルムｔとを貼り合せ、更にフィルムｔの幅を常に紙幅より狭くしてフィルムｔの端から１０ｍｍ以内のところにミシン目を入れてカム１０と紙押コロ３との枠を紙の流れ方向に対して傾斜させ、かつミシン目のある側から順次紙押コロ３を下げて紙Ｐとフィルムｔとに張力を加え、フィルムｔの一番弱い紙の重なり寸法Ｇの後端部から切断することを特徴とする枚葉プリントラミネーターの高速カッター装置の提供にある。
【０００９】
【発明の実施の形態】
本発明の実施形態は、枚葉印刷紙の表面にフィルムを貼り合せかつ紙とフィルムにテンションを加えてフィルムを切断する高速カッター方法であって、前記方法に使用される高速カッター装置が２個の紙送りロール１、２とミシン目を入れる回転刃５と、貼り合わされたフィルム間でミシン目を入れかつ紙押コロ３を通過して紙の重なり部分Ｇが紙送りロール２を通過すると紙押コロ３が下がるカム１０と、該カム１０と紙送りロール１、２を介して上下移動する一つの枠内に数組配置されている紙押コロ３と、前記カム１０の始動時の回転位置と紙の重なり位置との位相を制御するために取り付けられている紙の重なりを検出するセンサー６と、単独モーターで駆動させかつ給紙機の給紙枚数と同期に回転するカム軸１３とから構成されており、前記紙Ｐとフィルムｔとの貼り合せが前の紙Ｐの後部下側に先端部が入り込むように紙の重なり寸法Ｇだけ重ねて流して紙Ｐとフィルムｔとを貼り合せ、更にフィルムｔの幅を常に紙幅より狭くしてフィルムｔの端から１０ｍｍ以内のところにミシン目を入れてカム１０と紙押コロ３との枠を紙の流れ方向に対して傾斜させ、かつミシン目のある側から順次紙押コロ３を下げて紙Ｐとフィルムｔとに張力を加え、フィルムｔの一番弱い紙の重なり寸法Ｇの後端部から切断することを特徴とする枚葉プリントラミネーターの高速カッター装置であるから、ミシン目に近い方からコロが順次加圧することができるので切断時の張力を最小にすることができ、しかもフィルムの伸びや剥れを防ぐことができるので高速カットが可能となる。
【００１１】
【実施例】
以下、図面に従って本発明の枚葉プリントラミネーターの高速カッター方法とその装置について説明する。
【００１２】
図１から図３は、本発明装置とその装置による高速カッター方法を示したものである。図中、Ｂは紙幅寸法、Ｃはフィルム幅寸法、Ｄはミシン目幅寸法、Ｅは紙流れ寸法、Ｆは紙重りピッチ寸法、Ｇは紙重り寸法であり、また１と２は紙送りロール、３は紙押しコロ、４はベルト、５は回転刃、６はセンサー、７はカム枠、８は押しバネ、９はカム支持レバー、１０はカム、１１はコロレバー、１２はカムコロ、１３はカム軸である。
【００１３】
まず図１は、印刷面にフィルムｔを貼り合わせた状態を示したものであって、紙ｐは前の紙ｐの後部の下に先端部が入り込むように紙重り寸法Ｇだけ重ねて流されてフィルムｔと貼り合わされる。また、フィルムｔの幅は常に紙幅より狭くし、ミシン目幅寸法Ｄは２〜４ｍｍ程度にする。また、フィルムｔの端から０〜１０ｍｍの場所にミシン目を入れる。更に紙Ｐとフィルムｔに張力を加えるとフィルムｔの一番弱い紙重り寸法Ｇの後端部から切断されることになる。
【００１４】
次に図２と図３で本発明装置について説明すれば、１と２は紙送りロールであり、５はミシン目を入れる回転刃である。貼り合わされたフィルム間でミシン目が入れられて紙押しコロ３を通過して紙重り部分Ｇが紙送りロール２を通過すると、カム１０で紙押しコロ３が下がる。また、コロと一対のカムは数個ありカムの取り付け位置が少しづつずれておりミシン目に近い方から順次加圧していくように構成されている。６は紙の重なりを検出するセンサーであり、カム始動時のの回転位置と紙の重なり位置の位相を制御するために取り付けられている。これら数組のカムはカム枠７に取り付けられており、支点を中心にして回転できる。このカム枠７の傾き角度は０〜６度程度でよい。なお、カム軸１３は単独モーターで駆動され給紙機の給紙枚数と同期して回転している。このように、ミシン目に近いほうからコロが順次加圧することで切断時の張力を最小にすることができ、しかもフィルムの伸びと剥がれがない高速カットが可能となる。
【００１５】
【発明の効果】
本発明は、枚葉印刷紙の表面にフィルムを貼り合せかつ紙とフィルムにテンションを加えてフィルムを切断する高速カッター方法であって、前記方法に使用される高速カッター装置が２個の紙送りロール１、２とミシン目を入れる回転刃５と、貼り合わされたフィルム間でミシン目を入れかつ紙押コロ３を通過して紙の重なり部分Ｇが紙送りロール２を通過すると紙押コロ３が下がるカム１０と、該カム１０と紙送りロール１、２を介して上下移動する一つの枠内に数組配置されている紙押コロ３と、前記カム１０の始動時の回転位置と紙の重なり位置との位相を制御するために取り付けられている紙の重なりを検出するセンサー６と、単独モーターで駆動させかつ給紙機の給紙枚数と同期に回転するカム軸１３とから構成されており、前記紙Ｐとフィルムｔとの貼り合せが前の紙Ｐの後部下側に先端部が入り込むように紙の重なり寸法Ｇだけ重ねて流して紙Ｐとフィルムｔとを貼り合せ、更にフィルムｔの幅を常に紙幅より狭くしてフィルムｔの端から１０ｍｍ以内のところにミシン目を入れてカム１０と紙押コロ３との枠を紙の流れ方向に対して傾斜させ、かつミシン目のある側から順次紙押コロ３を下げて紙Ｐとフィルムｔとに張力を加え、フィルムｔの一番弱い紙の重なり寸法Ｇの後端部から切断することを特徴とする枚葉プリントラミネーターの高速カッター装置であるから、次のような多くの効果を有する。
ア、本発明によれば、従来方法の欠点である切り口のフィルムが伸びたり紙とフィルムが  剥れたりすることを防止することができる。
イ、また本発明によれば、フィルムの端にミシン目を入れて弱い力で切断することができ  るので、従来方法よりも装置が簡単になりコストダウンを図ることができしかも高速化  を図ることが可能となる。
ウ、また本発明によれば、ミシン目に近い方からコロが順次加圧することができるので、  切断時の張力を最小にすることができる。
【図面の簡単な説明】
【図１】本発明の高速カッター方法を示した説明概要図。
【図２】本発明の高速カッター装置を示した説明概要図。
【図３】本発明の高速カッター装置を示した説明概要図。
【図４】従来の高速カッター機構を示した説明概要図。
【図５】従来の高速カッター機構を示した説明概要図。
【図６】従来の高速カッター機構を示した説明概要図。
【図７】従来の高速カッター機構を示した説明概要図。
【図８】従来のサーマルプリントラミネータを示した概要図。
【図９】従来のミシン用回転刃を示した概要図。
【符号の説明】
１  ２  ロール              ３  紙押しコロ
４  ベルト                  ５  回転刃
６  センサー                ７  カム枠
８  押しバネ                ９  カム支持レバー
１０  カム                  １１  コロレバー
１２  カムコロ              １３  カム軸
Ｂ  紙幅寸法                Ｃ  フィルムの幅寸法
Ｄ  ミシン用幅寸法          Ｅ  紙流れ寸法
Ｆ  紙重りピッチ寸法        Ｇ  紙重り寸法
Ｓ１・Ｓ２  ロール          Ｒ１・Ｒ２  ロール
【図１】
0003956216.tif 000002
【図２】
0003956216.tif 000003
【図３】
0003956216.tif 000004
【図４】
0003956216.tif 000005
【図５】
0003956216.tif 000006
【図６】
0003956216.tif 000007
【図７】
0003956216.tif 000008
【図８】
0003956216.tif 000009
【図９】
0003956216.tif 000010